(57)【要約】【課題】操作部の電源を含む全電源をオフにした電源オフ状態から電子機器の電源を立ち上げたときに、簡易な構成で、リモコンロック機能を動作させる電子機器を提供する。【解決手段】  Ｐ−ＯＮマイコン２、メインＩＣ３、電源部４、光ディスクドライブ５１、ＨＤＤ５２、フラッシュメモリ７を備える。メインＩＣ３は、５１、５２を制御する。電源部４は、５１、５２、メインＩＣ３に電源を供給する。Ｐ−ＯＮマイコン２は、リモコンからリモコン信号を受信し、メインＩＣ３に出力する。Ｐ−ＯＮマイコン２は、電源部４の電源の供給状態を制御する。また、Ｐ−ＯＮマイコン２は、メインＩＣ３が起動していない場合にはメインＩＣ３を起動して、フラッシュメモリ７に記憶したリモコンロックモードを取得して、これをＲＡＭ２０に記憶する。ＲＡＭ２０に記憶したリモコンロックモードを用いて、メインＩＣ３に操作信号を送信するかどうかを決める。【選択図】図１
2008299909.tif 000002
【特許請求の範囲】
【請求項１】
リモコンから出力された信号を受信して、この信号に対応する操作信号を出力する受信部と、
所定の動作を行う機能部と、
前記受信部から出力された操作信号に基づいて前記機能部を制御する制御部と、
電源を前記制御部に供給する電源部と、を備え、
前記受信部が、前記電源部が前記制御部に行う電源供給を、オン、オフに切り換える電子機器において、
前記制御部は、前記操作信号の出力を禁止するリモコンロックモードをオン、オフで予め設定する設定手段と、前記リモコンロックモードを記憶する不揮発性メモリと、を備え、
前記受信部は、前記リモコンロックモードを記憶する揮発性メモリを備え、
前記電源供給がオフの場合であって、かつ、前記揮発性メモリにリモコンロックモードが記憶されていない場合に、前記受信部が前記リモコンから出力された信号を受信すると、前記受信部は、以下の（Ａ）〜（Ｃ）の動作を行う、すなわち、
（Ａ）前記電源供給をオンに切り換え、
（Ｂ）前記リモコンロックモードが前記揮発性メモリに記憶されていない場合には、前記受信部は、前記制御部と通信を行って前記不揮発性メモリが記憶するリモコンロックモードの内容を取得し、前記取得したリモコンロックモードを前記揮発性メモリに記憶させ、
（Ｃ）前記不揮発性メモリに記憶されたリモコンロックモードの状態が、前記操作信号の出力を禁止するオンの状態であれば、前記操作信号を出力しない電子機器。
【請求項２】
前記電源部による前記制御部への電源供給がオフの場合であって、かつ、前記揮発性メモリにリモコンロックモードが記憶されている場合には、
前記受信部は、
（Ｄ）前記揮発性メモリに記憶されたリモコンロックモードがオンの場合には、前記操作信号を前記制御部に出力せず、
（Ｅ）前記揮発性メモリに記憶されたリモコンロックモードがオフの場合には、前記操作信号を前記制御部に出力する請求項１に記載の電子機器。
【請求項３】
前記電子機器は、映像信号をＤＶＤに記録するＤＶＤレコーダである請求項１に記載の電子機器。
【発明の詳細な説明】
【技術分野】
【０００１】
本発明は、いたずら防止等のためにリモコンからの入力を受け付けないリモコンロック機能を備えた電子機器に関する。
【背景技術】
【０００２】
従来より、リモコンを用いてメイン電源をオン、オフにする電子機器、例えば、テレビ、ＤＶＤレコーダなどが実用化されている。これらの電子機器は、電子機器全体を制御するメインマイコンと、リモコンからの信号を受光する受光部と、受光部を制御するＰ−ＯＮ（パワーオン）マイコンとを備え、メインマイコンと、Ｐ−ＯＮマイコン相互に通信を行う。
【０００３】
このような装置においては、３つの状態が設けられているものがある。第１は、受光部側とメイン電源が両方ＯＮの電源オンの状態、第２は、受光部およびＰ−ＯＮマイコン（以下、受光部およびＰ−ＯＮマイコンを合わせて受光部側という。）のみがオンで、メイン電源がオフの状態であるスタンバイ状態、第３は、受光部側とメイン電源が両方オフの電源オフの状態である。また、別の装置では、メイン電源オンの状態、メイン電源オンの２状態が設けられているものがある。
【０００４】
さらに、いたずら防止のために、リモコンからの入力を受け付けないリモコンロック機能を備えた装置が実用化されている。ここで、メイン電源がパワーオフの状態では、メインマイコン側には、電源が供給されていない。したがって、Ｐ−ＯＮマイコンを含む受光部側のみが動作している状態でリモコンから信号を受けた場合には、Ｐ−ＯＮマイコン側だけで、メインマイコンを立ち上げるかどうか判断させる必要がある。
【０００５】
従来、メイン電源オンの状態から、受光部側だけが動作しているスタンバイ状態に切り換えたときには、受光部側のＰ−ＯＮマイコン側に付属の揮発性メモリ（ＲＡＭ）にそのリモコンロック状態を記憶することが可能であった。したがって、受光部側のＰ−ＯＮマイコンに不揮発性メモリを接続しなくても、リモコンロック状態を判断することが可能であった。したがって、受光部は、リモコンの信号をメインマイコン側に送らず、リモコンロックがかかった状態にすることが可能であった。
【０００６】
一方、電源オンの状態から、一旦電源コンセントを抜いて再度電源を入れた状態にすると、Ｐ−ＯＮマイコンのＲＡＭの内容は消えてしまう。したがって、Ｐ−ＯＮマイコンに不揮発性メモリを接続しなくては、リモコンロック状態を判断することができず、リモコンロックをかけることができなかった。
【０００７】
特許文献１〜２には、いたずら防止等のためにキーロック機能を設けた電子機器が開示されている。
【特許文献１】特開２００６−２１７２４０公報
【特許文献２】特開２００７−１３５３０公報
【発明の開示】
【発明が解決しようとする課題】
【０００８】
しかしながら、Ｐ−ＯＮマイコンに不揮発性メモリを接続すればコストアップにつながる問題があった。一方、電源オフの状態にすると、リモコンロックがかからなくなってしまうとすれば、リモコンロックが容易に外れてしまうなど使い勝手が悪い問題があった。
【０００９】
そこで、操作部の電源を含む全電源をオフにした電源オフ状態から電子機器の電源を立ち上げたときに、簡易な構成で、リモコンロック機能を動作させる電子機器を提供することを目的とする。
【課題を解決するための手段】
【００１０】
本発明は、上述の課題を解決するための手段を以下のように構成している。
【００１１】
（１）  リモコンから出力された信号を受信して、この信号に対応する操作信号を出力する受信部と、
所定の動作を行う機能部と、
前記受信部から出力された操作信号に基づいて前記機能部を制御する制御部と、
電源を前記制御部に供給する電源部と、を備え、
前記受信部が、前記電源部が前記制御部に行う電源供給を、オン、オフに切り換える電子機器において、
前記制御部は、前記操作信号の出力を禁止するリモコンロックモードをオン、オフで予め設定する設定手段と、前記リモコンロックモードを記憶する不揮発性メモリと、を備え、
前記受信部は、前記リモコンロックモードを記憶する揮発性メモリを備え、
前記電源供給がオフの場合であって、かつ、前記揮発性メモリにリモコンロックモードが記憶されていない場合に、前記受信部が前記リモコンから出力された信号を受信すると、前記受信部は、以下の（Ａ）〜（Ｃ）の動作を行う、すなわち、
（Ａ）前記電源供給をオンに切り換え、
（Ｂ）前記リモコンロックモードが前記揮発性メモリに記憶されていない場合には、前記受信部は、前記制御部と通信を行って前記不揮発性メモリが記憶するリモコンロックモードの内容を取得し、前記取得したリモコンロックモードを前記揮発性メモリに記憶させ、
（Ｃ）前記不揮発性メモリに記憶されたリモコンロックモードの状態が、前記操作信号の出力を禁止するオンの状態であれば、前記操作信号を出力しない。
【００１２】
この構成では、受信部が制御部への電源供給をオンにすると、制御部は、不揮発性メモリに記憶したリモコンロックモードのデータを参照できる。したがって、現在、制御部の電源が入っておらず、受信部に揮発性メモリしか搭載していなくても、受信部は、制御部への電源供給をオンに切り換えて制御部を起動し、制御部と通信することにより、不揮発性メモリに記憶したリモコンロックモードを取得できる。リモコンロックモードを取得した結果、リモコンロックモードがオンであれば、前記リモコンから出力された信号を受信しても、操作信号を出力しない。したがって、制御部には操作信号が伝達されないから、メインＩＣへの入力を禁止でき、電子機器へのリモコン入力を禁止できる。以上のとおり、受信部を含め、電子機器の全電源を抜いた後、電源を入れなおした直後で、受信部のみが動作しているスタンバイ状態でも、リモコンロック機能を働かすことができる。
【００１３】
なお、リモコンロックモードのオン／オフは、実装上、名称が逆のオフ／オンでもよい。発明を特定する便宜上、前記操作信号の出力を禁止する状態をオンとしている。機能部の所定の機能とは、予め定まった一定の機能だけでなく、状態に応じて複数の機能のいずれかを動作させるものでもよい。「前記電源部による前記制御部への電源供給を制御する」上で、少なくとも前記制御部への電源供給のオン、オフを切り換えることができればよく、必ずしも機能部をオン、オフにする必要はないが、機能部とまとめて全体でオン、オフにしてもよい。必ずしも制御部だけをオン、オフにする必要はない。少なくとも制御部への電源をオンにすれば、制御部の不揮発性メモリに記憶したリモコンロックモードを確認できる。
【００１４】
（２）  前記電源部による前記制御部への電源供給がオフの場合であって、かつ、前記揮発性メモリにリモコンロックモードが記憶されている場合には、
前記受信部は、
（Ｄ）前記揮発性メモリに記憶されたリモコンロックモードがオンの場合には、前記操作信号を前記制御部に出力せず、
（Ｅ）前記揮発性メモリに記憶されたリモコンロックモードがオフの場合には、前記操作信号を前記制御部に出力する。
【００１５】
（Ａ）〜（Ｃ）のフローを一度行うと、リモコンロックモードを揮発性メモリに記憶する。電源をオフにしない限り持続している。したがって、リモコンロックモードを揮発性メモリにいったん記憶すると、制御部と通信する必要がなくなる。この構成では、制御部と通信することなく、リモコンロックモードのオン、オフを判断し、（Ｄ）、（Ｅ）の処理を行うから、本発明に必要な制御部とのリモコンロックモードの通信回数を最小限に抑えることができ、リモコンの反応を速くすることができる。
【００１６】
（３）  前記電子機器は、映像信号をＤＶＤに記録するＤＶＤレコーダであるとしてもよい。
【発明の効果】
【００１７】
本発明の電子機器によれば、受信部を含め、電子機器の全電源を抜いた後、電源を入れなおした直後で、受信部のみが動作しているスタンバイ状態でも、リモコンロック機能を働かすことができる。
【発明を実施するための最良の形態】
【００１８】
図１は、本発明のＤＶＤレコーダ１のブロック図であり、Ｐ−ＯＮ（Ｐｏｗｅｒ−ＯＮ）マイコン２に関係する部分を示している。点線の矢印は、制御信号の流れを示しており、実線の矢印は、電源の入力を表わしている。ＤＶＤレコーダ１は、受信部２００（本発明の受信部に相当する。）、メインＩＣ３（フラッシュメモリ７と合わせて、本発明の制御部に相当する。）、電源部４（本発明の制御部に相当する。）、光ディスクドライブ５１、ＨＤＤ５２（５１、５２はそれぞれ本発明の機能部に相当する。）、フラッシュメモリ７（本発明の不揮発性メモリに相当する。）を備える。
【００１９】
ＤＶＤレコーダ１は、外部から入力した映像信号を記録媒体（光ディスク、ハードディスク、メモリカード等）に記録し、記録した映像信号を出力する装置である。
【００２０】
受信部２００は、Ｐ−ＯＮマイコン２、受光部２０１と図示しない波形整形部を備える。Ｐ−ＯＮマイコン２は、受光部と波形整形部を制御し、リモコン２０２から受信した信号を操作信号２１（本発明の操作信号に相当する。）としてメインＩＣに出力させる。受光部は、リモコン２０２からの赤外信号を受信、増幅し、検波する。波形整形部は、検波した信号の波形を整形する。リモコン２０２、操作子２０３は、ＤＶＤレコーダ１を操作するキー入力を受け付ける。操作子２０３は、ＤＶＤレコーダ１本体に付属の操作子である。なお、操作子２０３から入力した信号も、メインＩＣに送信する操作信号２１として、リモコンの信号と同一形式に変換してもよい。
【００２１】
Ｐ−ＯＮマイコン２は、ＲＡＭ２０、図示しないＣＰＵ，ＲＯＭを備えており、ＲＯＭ内のサブルーチンを実行する。ＲＡＭ２０（本発明の揮発性メモリに相当する。）は、制御情報を一時的に記憶する揮発性メモリである。ＲＡＭ２０は、リモコンロックモードの設定を記憶している。ＲＡＭは、揮発性メモリであるから、ＤＶＤレコーダ１の電源をオフにすると、その設定の記憶は消える。
【００２２】
メインＩＣ３は、光ディスクドライブ５１、ＨＤＤ５２を制御するマイコン部と各種の演算処理の機能ブロックが一体になったＩＣである。
【００２３】
メインＩＣ３のマイコン部には、ＲＡＭ、ＲＯＭ、ＣＰＵを備え、ＲＯＭ内に記憶したサブルーチンを実行する。これにより光ディスクドライブ５１、ＨＤＤ５２を制御する。例えば、ＲＯＭは、スタンバイ状態のときのリモコンロック処理のサブルーチンを記憶している。メインＩＣ３は、このサブルーチンを実行して、スタンバイ状態のときのメインＩＣ３側の処理を行う。なお、Ｐ−ＯＮマイコン２側にもスタンバイ状態のときのメインＩＣ３側の処理を行うサブルーチンをＰ−ＯＮマイコン２内のＲＯＭに記憶している。
【００２４】
電源部４は、電源コンセント４０、電源ケーブル４１，４２、スイッチ回路４４、電源回路４５を備え、メインＩＣ３、光ディスクドライブ５１、ＨＤＤ５２に電源を供給する。
【００２５】
電源コンセント４０は、商用電源の取得口に接続する。電源ケーブル４１は、Ｐ−ＯＮマイコン２に電源を供給する。電源ケーブル４１は、ＤＶＤレコーダ１の電源コンセント４０が商用電源に接続されている限り、常時、電源をＰ−ＯＮマイコン２に供給する。電源ケーブル４２は、電源回路４５に電源を供給する。スイッチ回路４４は、電源ケーブル４２と、スイッチ回路４４との間にある半導体スイッチ回路であり、電源制御信号２２により、電源回路４５への電源の入力を開閉する。スイッチ回路４４がオフになっているときは、電源部４、スイッチ回路４４、電源回路４５への電源の供給が停止する。電源回路４５は、電源コンセント４０から入力した電源の電圧を調整する。
【００２６】
Ｐ−ＯＮマイコン２は、上述のとおり、電源コンセント４０が接続されている限り常にオンとなっている。また、Ｐ−ＯＮマイコン２は、電源制御信号２２をスイッチ回路４４に出力する。電源制御信号２２には２種類ある。１つが電源オン信号、他方が電源オフ信号であり、電源供給を指示する信号である。電源オフ信号は、電源供給停止する指示信号である、このとき、リモコンに反応する受信部２００だけがオンであるスタンバイ状態となる。
【００２７】
光ディスクドライブ５１は、図示しないＤＶＤレコーダ１本体にマウントした光ディスクにアクセスして、映像信号の記録、再生を行う。ＨＤＤ５２は、ハードディスクドライブであり、図示しないハードディスクにアクセスして映像信号の記録、再生を行う。
【００２８】
フラッシュメモリ７は、メインＩＣ３に内蔵するか、外部に接続されている不揮発性メモリであり、各種の制御情報を記憶する。フラッシュメモリ７は、リモコンロックモードの設定を記憶している。メインＩＣ３のマイコン部は、リモコンロック処理の実行中、フラッシュメモリ７を参照して、現在リモコンロックモードが設定されているかどうか判断する。
【００２９】
なお、以上の実施形態では、電源回路４５の入力側を遮断する構成を示したが、電源回路４５の出力側をスイッチ回路４４により遮断する構成でもよい。
【００３０】
次に図２〜図６のフロー図を用いて、装置１のリモコンロック処理について説明する。この処理は、リモコンロック状態にするかどうかの設定をリモコン２０２、操作子２０２から予め設定を受け付けていることを前提とする（この設定をするための構成（受信部２００と制御部３と、操作子２０３またはリモコン２０２）は、本発明の設定手段に相当する。）。なお、この設定を受け付けるとき、この設定をユーザに促す文字等を操作パネルまたはＤＶＤレコーダ１に接続した表示器（不図示）にＯＳＤ（On-Screen Display）を出力してもよい。
【００３１】
ＳＴ１で、Ｐ−ＯＮマイコン２は、メインＩＣ３側の電源がオンの状態か判断する。ここで、Ｐ−ＯＮマイコン２は、メインＩＣ３の電源回路４５のスイッチ回路４４を制御する電源制御信号２２を出力しているから、メインＩＣ３が起動しているかどうかを把握できる。メインＩＣ３側の電源がオフの状態であれば（ＳＴ１のＮＯ）、ＳＴ２に移動する。メインＩＣ３側の電源がオンの状態であれば（ＳＴ１のＹＥＳ）、ＳＴ３に移動する。ＳＴ２、ＳＴ３では、それぞれ、Ｐ−ＯＮマイコン２は、ＲＡＭ２０にリモコンロックモードの状態が記憶されているか判断する。ＳＴ２の判断で、ＲＡＭ２０にリモコンロックモードの状態が記憶されている場合には（ＳＴ２のＹＥＳ）、図４のフローを実行する。ＲＡＭ２０にリモコンロックモードの状態が記憶されていない場合には（ＳＴ２のＮＯ）、図３のフローを実行する。ＳＴ３の判断で、ＲＡＭ２０にリモコンロックモードの状態が記憶されている場合には（ＳＴ３のＹＥＳ）、図６のフローを実行する。ＲＡＭ２０にリモコンロックモードの状態が記憶されていない場合には（ＳＴ３のＮＯ）、図５のフローを実行する。
【００３２】
ここで、ＳＴ１を判断するのは、電源回路４５のオン、オフの状態に応じて、オフの場合には、フラッシュメモリ７を参照するためにメインＩＣ３を起動する必要があるからである。また、ＳＴ２、ＳＴ３を判断するのは、電源コンセント４０を抜いた状態から再度入れ直すと、リモコンロックモードの状態を記憶するＲＡＭ２０の内容が消えてしまうから、これに応じて以下の処理を変えるためである。
【００３３】
図３のフロー図について説明する。図２のフローから図３のＳＴ１１に分岐する。ＳＴ１１で、図示しないリモコンからリモコン信号を受け付ける。リモコン信号を受け付けた場合には、以下の処理を行う。
【００３４】
ＳＴ１２で、電源制御信号２２として、電源オン信号をスイッチ回路４４に出力する。この信号は、スイッチ回路４４をオンにして、電源回路４５を起動する信号である。これにより、メインＩＣ３、光ディスクドライブ５１、ＨＤＤ５２が起動する（ＳＴ２１）。
【００３５】
メインＩＣ３が起動すると、ＳＴ２２で、メインＩＣ３は、操作信号を受け付ける待機状態になる。ＳＴ１３で、Ｐ−ＯＮマイコン２は、操作信号をメインＩＣ３に出力する。メインＩＣ３は、操作信号を受けると、ＳＴ２３で、フラッシュメモリ７のリモコンロックモードを確認する。フラッシュメモリ７は、揮発性メモリだから、リモコンロックモードかどうかをＤＶＤレコーダ１の電源コンセント４０が電源に接続されているかどうかにかかわらず記憶している。
【００３６】
ＳＴ２４で、メインＩＣ３は、フラッシュメモリ７に記憶したリモコンロックモードがオンかどうか判断する。メインＩＣ３は、フラッシュメモリ７に記憶したリモコンロックモードがオンであると判断すると（ＳＴ２４のＹＥＳ）、ＳＴ２５で、リモコンロック信号３１をＰ−ＯＮマイコン２に出力する。一方、メインＩＣ３は、フラッシュメモリ７に記憶したリモコンロックモードがオフであると判断すると（ＳＴ２４のＮＯ）、ＳＴ２６でリモコンの操作に対応する動作を行う。
【００３７】
Ｐ−ＯＮマイコン２は、ＳＴ１３で操作信号を送信した後、ＳＴ１４で、リモコンロック信号３１を受け付ける待機状態になり、メインＩＣ３が出力した信号を受信する。
【００３８】
ＳＴ１５で、Ｐ−ＯＮマイコン２は、受信したリモコンロック信号３１のオン、オフに応じて、リモコンロックモードをそれぞれオン、オフとしてＲＡＭ２０に記憶する。これにより、今後、Ｐ−ＯＮマイコン２は、メインＩＣ３と通信しなくても、リモコンロックモードのオン、オフを判断できる。この場合には、図４のフローを用いる。
【００３９】
ＳＴ１６で、リモコンロックモードがオンの場合には（ＳＴ１６のＹＥＳ）、スイッチ回路４４に電源制御信号２２として電源オフ信号を出力する。これにより、再度メインＩＣ３、光ディスクドライブ５１、ＨＤＤ５２の電源をオフにすることができる。ＳＴ１７に分岐するとき（ＳＴ１６のＹＥＳ）、メインＩＣ３では、ＳＴ２５に分岐するから、メインＩＣ３は、ＳＴ２６のリモコンの操作に対応する動作を行わない。したがって、ＳＴ１１で、リモコンから信号を受け付けても、キー操作を受け付けないと共に、メインＩＣ３、光ディスクドライブ５１、ＨＤＤ５２を停止した状態にすることができる。ＳＴ１７の後、ＤＶＤレコーダ１は、図４の処理を終了する。
【００４０】
ＳＴ１６で、リモコンロックモードがオフの場合には（ＳＴ１６のＮＯ）、メインＩＣ３、光ディスクドライブ５１、ＨＤＤ５２の電源をオフにせずに、ＤＶＤレコーダ１は、図４の処理を終了する。このとき、メインＩＣ３側では、ＳＴ２６に分岐する（ＳＴ２４のＮＯ）。これらの電源をオフにしないから、ＳＴ２６のリモコンの操作に対応する動作を行うことができる。
【００４１】
以上のとおり、メインＩＣ３の電源が入っておらず、Ｐ−ＯＮマイコン２に揮発性メモリであるＲＡＭ２０しか搭載していなくても、Ｐ−ＯＮマイコン２は、メインＩＣ３を起動できる。また、フラッシュメモリ７に記憶したリモコンロックモードを、メインＩＣ３を介して参照できる。したがって、電源コンセント４０を抜いた後、電源を入れ直した直後で、かつ、メインＩＣ３が起動していないスタンバイ状態でも、リモコンロック機能を働かすことができる。また、Ｐ−ＯＮマイコン２として汎用のマイコンを使用できるが、一般的なマイコンにはＲＡＭ２０を搭載しており、Ｐ−ＯＮマイコン２にフラッシュメモリを接続する必要がない。したがって、付加的な構成が必要でなくなり、コストダウンに貢献する。
【００４２】
図４のフローについて説明する。図２のフローのＳＴ２のＹＥＳから、図４のＳＴ１１に分岐する。図３と同じ機能のステップについては、図３と同一のステップ番号を用いて、以上の説明を準用する。図４のフローは、図３のＳＴ１４、ＳＴ１５、ＳＴ１６、ＳＴ１７、ＳＴ２３、ＳＴ２４、ＳＴ２５がなく、ＳＴ３１が追加されている点が異なる。図４のフローは、２度目以降のリモコンからのキー操作により、リモコンロックモードがＲＡＭ２０に記憶されている場合に分岐する。したがって、ＳＴ１６、ＳＴ１７により改めて記憶する必要がないし、ＳＴ１２によりメインＩＣ３を起動してＳＴ２３でフラッシュメモリ７を確認する必要がない。
【００４３】
また、図４のフローの場合、メインＩＣ３側と通信するまでもなく、Ｐ−ＯＮマイコン２内のＲＡＭ２０を参照できる。したがって、Ｐ−ＯＮマイコン２は、ＳＴ１１の後、直ちにＳＴ３１を判断する。ＳＴ３１では、ＲＡＭ２０に記憶したリモコンロックモードがオンになっているかを判断する。これがオンの場合には（ＳＴ３１のＹＥＳ）、メインＩＣ３の電源を入れるまでもなく、直ちに図４のフローを終了させる。これにより、ＳＴ１１でリモコン信号を受け付けても、キー操作を受け付けないと共に、メインＩＣ３、光ディスクドライブ５１、ＨＤＤ５２を停止した状態にすることができる。
【００４４】
図５のフローについて説明する。図５のフローは、図５のＳＴ１１から開始する。図５のフローは、図３と近似しており、同じ機能を有する部分は、図３と同じステップ番号を用いて、以上の説明を準用する。図５が図３と異なる点は、ＳＴ１２、ＳＴ２１、ＳＴ１７、ＳＴ２７がない点である。図５のフローの場合、メインＩＣ３がもともと電源がオンになっていることを前提としているので、メインＩＣ３の電源のオン、オフに関するステップを行わない。
【００４５】
図６のフローについて説明する。図６のフローは、図６のＳＴ１１から開始する。図６のフローは、図４と近似しており、同じ機能を有する部分は、図４と同じステップ番号を用いている。図６が図４と異なる点は、ＳＴ１２、ＳＴ２１がない点である。この図６のフローの場合、メインＩＣ３がもともと電源がオンになっていることを前提としているので、メインＩＣ３の電源のオン、オフに関するステップを行わない。
【００４６】
なお、以上の図２のフローでは、ＳＴ１でメインＩＣ３の電源のオン、オフに応じて分岐させた。しかし、ＳＴ１を省略して、ＳＴ２のみを設け、ＳＴ１２、ＳＴ１７の直前で、ＳＴ１に相当する確認、すなわち、メインＩＣ３の電源のオン、オフの確認をしてもよい。
また、メインＩＣ３は、光ディスクドライブ５１、ＨＤＤ５２をいずれかを１以上を制御していればよい。光ディスクドライブ５１、ＨＤＤ５２の代わりに、別の構成を備える電子機器でもよい。この場合に、電子機器は、所定の機能部（予め定めた機能を発揮するもののみならず、場合に応じて、機能を選択する構成でもよい。）を１以上有し、メインＩＣ３は、これらのうちいずれか１以上を制御していればよい。
また、以上では、メインＩＣ３、光ディスクドライブ５１、ＨＤＤ５２が連動して電源、オン、オフにするとしたが、特に図２〜図４のフローでは、少なくともメインＩＣ３の電源をオン、オフすればよく、メインＩＣ３以外は必ずしも連動する必要がない。メインＩＣ３をオンにすれば、フラッシュメモリ７のリモコンロックモードを確認できる。
【００４７】
なお、Ｐ−ＯＮマイコン２は、また、図示しない本体パネルの操作子から入力した信号をリモコンのパルスと同形式にして、操作信号２１のデータ形式でメインＩＣ３に出力してもよい。以上で、操作信号２１というときは、同様に適用できる。この場合において、リモコンロックモード時には、ＤＶＤレコーダ１は、リモコンから出力された信号のみならず、本体パネルの操作子から出力されたキー入力をも送信しないようにする。リモコンから送信された信号のデータ形式は、リモコンから送信された信号を解読して送信してもよいし、リモコンから送信された信号（高周波パルス）をそのまま送信してもよい。
【００４８】
以上では、電源コンセント４０を商用電源に接続するとして説明したが、電子機器の電源の供給口であれば、これに限らない。
【００４９】
また、図５のフローでは、図３のように、リモコン信号を受けてからフラッシュメモリ７を確認するのではなく、メインＩＣ３の起動時等で、リモコン信号を受ける前に予めＲＡＭ２０にリモコンロックモードを記憶するようにしてもよい。このようにすれば、リモコンの反応を良くすることができる。すなわち、ＳＴ１１以外の動作を予め行い、Ｐ−ＯＮマイコン２がリモコン信号を受けたときは、図６のフローに従う。
【００５０】
また、リモコンロックモードの設定をリモコンロック処理のサブルーチンによるものとして説明したが、必ずしも、プロラムによる設定でなくても、スイッチ等による設定でもよい。
【００５１】
また、リモコンロックモードのオン／オフは、実装上、名称が逆のオフ／オンでもよい。説明の便宜上、前記操作信号の出力を禁止する状態をオンとしている。
【図面の簡単な説明】
【００５２】
【図１】第１実施形態のＤＶＤレコーダのブロック図
【図２】本実施形態のＤＶＤレコーダのリモコンロック処理
【図３】本実施形態のＤＶＤレコーダのリモコンロック処理
【図４】本実施形態のＤＶＤレコーダのリモコンロック処理
【図５】本実施形態のＤＶＤレコーダのリモコンロック処理
【図６】本実施形態のＤＶＤレコーダのリモコンロック処理
【符号の説明】
【００５３】
１−ＤＶＤレコーダ、  ２００−受信部、
２０１−受光部、  ２０２−リモコン、  ２０３−操作子
２−Ｐ−ＯＮマイコン、  ２０−ＲＡＭ、
２１−リモコン信号、
２２−電源制御信号、  ３−メインＩＣ、  ３１−リモコンロック信号、
５１−光ディスクドライブ、  ５２−ＨＤＤ、
４−電源部、  ４０−電源コンセント、  ４１−電源ケーブル、
４２−電源ケーブル、  ４４−スイッチ回路、  ４５−電源回路、
７−フラッシュメモリ
【図１】
2008299909.tif 000003
【図２】
2008299909.tif 000004
【図３】
2008299909.tif 000005
【図４】
2008299909.tif 000006
【図５】
2008299909.tif 000007
【図６】
2008299909.tif 000008